(57)【要約】  表示位置調整方法及びスマートブレスレットを提供する。スマートブレスレットの内表面には、複数の圧力センサーが設けられる。スマートブレスレットのチェンバーには、自由移動体が収納される。自由移動体は、スマートブレスレットの内表面に沿って移動可能である。スマートブレスレットの外表面は表示可能領域を含む。当該表示位置調整方法は、複数の圧力センサーによって検出された複数の圧力値を受信することと、複数の圧力値のうち最も大きい圧力値に対応する圧力センサーの位置をスマートブレスレットにおける最低位置として確定することと、最低位置に基づいてスマートブレスレットの外表面における表示領域を確定することとを備える。このため、スマートブレスレットのオリエンテーションに応じてスマートブレスレットにおける表示領域を自動的に調整することができるため、ユーザの観察に便利になり、ユーザの体験を向上させる。【選択図】図１ｂ
2019527436.tif 000002
【特許請求の範囲】
【請求項１】
スマートブレスレットに適用される表示位置調整方法であって、前記スマートブレスレットの内表面に複数の圧力センサーが設けられ、前記スマートブレスレットのチェンバーに自由移動体が収納され、前記自由移動体が前記スマートブレスレットの内表面に沿って移動可能であり、前記スマートブレスレットの外表面が表示可能領域を含み、前記表示位置調整方法は、
前記複数の圧力センサーによって検出された複数の圧力値を受信することと、
前記複数の圧力値のうち最も大きい圧力値に対応する圧力センサーの位置を前記スマートブレスレットにおける最低位置として確定することと、
前記最低位置に基づいて前記スマートブレスレットの前記外表面における表示領域を確定することとを備えることを特徴とする表示位置調整方法。
【請求項２】
前記最低位置に基づいて前記スマートブレスレットの前記外表面における表示領域を確定することは、
前記スマートブレスレットにおける初期位置、第一距離値及び第二距離値を設定することと、
前記初期位置から予定方向に沿って前記最低位置までの第三距離値を算出することと、
前記第一距離値及び前記第三距離値に基づいて第一表示位置値を算出すると共に、前記第二距離値及び前記第三距離値に基づいて第二表示位置値を算出することと、
前記予定方向に沿って前記初期位置との間隔が前記第一表示位置値である第一表示位置を確定すると共に、前記予定方向に沿って前記初期位置との間隔が前記第二表示位置値である第二表示位置を確定することと、
前記第一表示位置と前記第二表示位置との間の領域を前記表示領域として確定することとを備えることを特徴とする請求項１に記載の表示位置調整方法。
【請求項３】
前記予定方向が前記スマートブレスレットに沿う反時計方向であり、前記第一距離値及び前記第三距離値に基づいて第一表示位置値を算出することは、前記第三距離値から前記第一距離値を減じ、前記スマートブレスレットの長さを加え、そして、前記スマートブレスレットの長さで除することにより、前記第一表示位置値である余りを取得することを備えることを特徴とする請求項２に記載の表示位置調整方法。
【請求項４】
前記予定方向が前記スマートブレスレットに沿う反時計方向であり、前記第二距離値及び前記第三距離値に基づいて第二表示位置値を算出することは、前記第三距離値から前記第二距離値を減じ、前記スマートブレスレットの長さを加え、そして、前記スマートブレスレットの長さで除することにより、前記第二表示位置値である余りを取得することを備えることを特徴とする請求項２に記載の表示位置調整方法。
【請求項５】
前記予定方向が前記スマートブレスレットに沿う時計方向であり、前記第一距離値及び前記第三距離値に基づいて第一表示位置値を算出することは、前記第三距離値に前記第一距離値を加え、前記スマートブレスレットの長さを加え、そして、前記スマートブレスレットの長さで除することにより、前記第一表示位置値である余りを取得することを備えることを特徴とする請求項２に記載の表示位置調整方法。
【請求項６】
前記予定方向が前記スマートブレスレットに沿う時計方向であり、前記第二距離値及び前記第三距離値に基づいて第二表示位置値を算出することは、前記第三距離値に前記第二距離値を加え、前記スマートブレスレットの長さを加え、そして、前記スマートブレスレットの長さで除することにより、前記第二表示位置値である余りを取得することを備えることを特徴とする請求項２に記載の表示位置調整方法。
【請求項７】
前記最低位置に基づいて前記スマートブレスレットの前記外表面における表示領域を確定することは、
前記スマートブレスレットにおける初期位置、第一距離値及び第四距離値を設定することと、
前記初期位置から予定方向に沿って前記最低位置までの第三距離値を算出することと、
前記第一距離値及び前記第三距離値に基づいて第一表示位置値を算出することと、
前記予定方向に沿って前記初期位置との間隔が前記第一表示位置値である第一表示位置を確定することと、
前記予定方向と逆の方向に沿って前記第一表示位置との間隔が前記第四距離値である第二表示位置を確定することと、
前記第一表示位置と前記第二表示位置との間の領域を前記表示領域として確定することとを備えることを特徴とする請求項１に記載の表示位置調整方法。
【請求項８】
前記予定方向が前記スマートブレスレットに沿う反時計方向であり、前記第一距離値及び前記第三距離値に基づいて第一表示位置値を算出することは、前記第三距離値から前記第一距離値を減じ、前記スマートブレスレットの長さを加え、そして、前記スマートブレスレットの長さで除することにより、前記第一表示位置値である余りを取得することを備えることを特徴とする請求項７に記載の表示位置調整方法。
【請求項９】
前記予定方向が前記スマートブレスレットに沿う時計方向であり、前記第一距離値及び前記第三距離値に基づいて第一表示位置値を算出することは、前記第三距離値に前記第一距離値を加え、前記スマートブレスレットの長さを加え、そして、前記スマートブレスレットの長さで除することにより、前記第一表示位置値である余りを取得することを備えることを特徴とする請求項７に記載の表示位置調整方法。
【請求項１０】
前記最低位置に基づいて前記スマートブレスレットの前記外表面における表示領域を確定することは、前記最低位置と予定表示領域対応関係に基づいて前記表示領域を確定することを備え、前記予定表示領域対応関係は、前記最低位置と前記表示領域との対応関係であることを特徴とする請求項１に記載の表示位置調整方法。
【請求項１１】
スマートブレスレットであって、前記スマートブレスレットの内表面に複数の圧力センサーが設けられ、前記スマートブレスレットのチェンバーに自由移動体が収納され、前記自由移動体が前記スマートブレスレットの内表面に沿って移動可能であり、前記スマートブレスレットの外表面が表示可能領域を含み、前記スマートブレスレットは、
前記複数の圧力センサーによって検出された複数の圧力値を受信するための受信ユニットと、
前記複数の圧力値のうち最も大きい圧力値に対応する圧力センサーの位置を前記スマートブレスレットにおける最低位置として確定するための確定ユニットとを備え、
前記確定ユニットは、さらに、前記最低位置に基づいて前記スマートブレスレットの前記外表面における表示領域を確定するためであることを特徴とするスマートブレスレット。
【請求項１２】
前記確定ユニットは、
前記スマートブレスレットにおける初期位置、第一距離値及び第二距離値を設定するための設定ユニットと、
前記初期位置から予定方向に沿って前記最低位置までの第三距離値を算出するための算出ユニットとを備え、
前記算出ユニットは、さらに、前記第一距離値及び前記第三距離値に基づいて第一表示位置値を算出すると共に、前記第二距離値及び前記第三距離値に基づいて第二表示位置値を算出するためであり、
前記確定ユニットは、さらに、前記予定方向に沿って前記初期位置との間隔が前記第一表示位置値である第一表示位置を確定すると共に、前記予定方向に沿って前記初期位置との間隔が前記第二表示位置値である第二表示位置を確定するためであり、
前記確定ユニットは、さらに、前記第一表示位置と前記第二表示位置との間の領域を前記表示領域として確定するためであることを特徴とする請求項１１に記載のスマートブレスレット。
【請求項１３】
前記予定方向は前記スマートブレスレットに沿う反時計方向であり、前記算出ユニットは、前記第三距離値から前記第一距離値を減じ、前記スマートブレスレットの長さを加え、そして、前記スマートブレスレットの長さで除することにより、前記第一表示位置値である余りを取得するように配置されることを特徴とする請求項１２に記載のスマートブレスレット。
【請求項１４】
前記予定方向は前記スマートブレスレットに沿う反時計方向であり、前記算出ユニットは、前記第三距離値から前記第二距離値を減じ、前記スマートブレスレットの長さを加え、そして、前記スマートブレスレットの長さで除することにより、前記第二表示位置値である余りを取得するように配置されることを特徴とする請求項１２に記載のスマートブレスレット。
【請求項１５】
前記予定方向は前記スマートブレスレットに沿う時計方向であり、前記算出ユニットは、前記第三距離値に前記第一距離値を加え、前記スマートブレスレットの長さを加え、そして、前記スマートブレスレットの長さで除することにより、前記第一表示位置値である余りを取得するように配置されることを特徴とする請求項１２に記載のスマートブレスレット。
【請求項１６】
前記予定方向は前記スマートブレスレットに沿う時計方向であり、前記算出ユニットは、前記第三距離値に前記第二距離値を加え、前記スマートブレスレットの長さを加え、そして、前記スマートブレスレットの長さで除することにより、前記第二表示位置値である余りを取得するように配置されることを特徴とする請求項１２に記載のスマートブレスレット。
【請求項１７】
前記設定ユニットは、さらに、前記スマートブレスレットにおける初期位置、第一距離値及び第四距離値を設定するためであり、
前記算出ユニットは、さらに、前記初期位置から予定方向に沿って前記最低位置までの第三距離値を算出するためであり、
前記算出ユニットは、さらに、前記第一距離値及び前記第三距離値に基づいて第一表示位置値を算出するためであり、
前記確定ユニットは、さらに、前記予定方向に沿って前記初期位置との間隔が前記第一表示位置値である第一表示位置を確定するためであり、
前記確定ユニットは、さらに、前記予定方向と逆の方向に沿って前記第一表示位置との間隔が前記第四距離値である第二表示位置を確定するためであり、
前記確定ユニットは、さらに、前記第一表示位置と前記第二表示位置との間の領域を前記表示領域として確定するためであることを特徴とする請求項１１に記載のスマートブレスレット。
【請求項１８】
前記予定方向は前記スマートブレスレットに沿う反時計方向であり、前記算出ユニットは、前記第三距離値から前記第一距離値を減じ、前記スマートブレスレットの長さを加え、そして、前記スマートブレスレットの長さで除することにより、前記第一表示位置値である余りを取得するように配置されることを特徴とする請求項１７に記載のスマートブレスレット。
【請求項１９】
前記算出ユニットは、前記第三距離値に前記第一距離値を加え、前記スマートブレスレットの長さを加え、そして、前記スマートブレスレットの長さで除することにより、前記第一表示位置値である余りを取得するように配置されることを特徴とする請求項１７に記載のスマートブレスレット。
【請求項２０】
前記確定ユニットは、前記最低位置と予定表示領域対応関係に基づいて前記表示領域を確定するように配置され、前記予定表示領域対応関係は、前記最低位置と前記表示領域との対応関係であることを特徴とする請求項１１に記載のスマートブレスレット。
【発明の詳細な説明】
【技術分野】
【０００１】
本発明は、電子技術分野に関し、特に、表示位置調整方法及びスマートブレスレットに関する。
【背景技術】
【０００２】
スマート製品の発達につれ、ウェアラブルデバイスの応用は、ますます広くまる。スマートブレスレットも、ウェアラブルデバイスの主な形態の一つとして、人々によってますます多く用いられる。
【０００３】
スマートブレスレットは、日常生活の鍛錬、飲食などのリアルタイムデータを記録することができ、且つ、スマートブレスレットと同期通信する携帯電話などのスマート端末におけるデータを同期表示することができるため、スマートブレスレットには、表示可能領域が相応して備わる。しかしながら、現在、スマートブレスレットの表示可能領域が大きく、例えば、外周全体の７０％ないし全部を占めるが、人々が、ブレスレットを嵌めるとき、表示可能領域の一部だけを目で見ることができるため、ブレスレットがゆったりとする場合、腕が揺れるのに伴い、ブレスレットにおける表示位置は変わる。従って、ブレスレットの特定領域に表示されたものを見るとき、他方の手の協力は必要となり、表示可能領域全体の利用率が低減され、ブレスレットを見るユーザに不便です。
【発明の概要】
【０００４】
本発明の実施形態は、ユーザに嵌められるスマートブレスレットのオリエンテーション変化に応じてスマートブレスレットにおける表示領域を調整することができる表示位置調整方法及びスマートブレスレットを提供する。
【０００５】
一つの方面によれば、本発明の実施形態は、スマートブレスレットに適用される表示位置調整方法を提供する。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。当該表示位置調整方法は、上記複数の圧力センサーによって検出された複数の圧力値を受信することと、上記複数の圧力値のうち最も大きい圧力値に対応する圧力センサーの位置を上記スマートブレスレットにおける最低位置として確定することと、上記最低位置に基づいて上記スマートブレスレットの上記外表面における表示領域を確定することとを備える。
【０００６】
他の方面によれば、本発明の実施形態は、スマートブレスレットを提供する。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。当該スマートブレスレットは、上記複数の圧力センサーによって検出された複数の圧力値を受信するための受信ユニットと、上記複数の圧力値のうち最も大きい圧力値に対応する圧力センサーの位置を上記スマートブレスレットにおける最低位置として確定するための確定ユニットとを備え、当該確定ユニットは、さらに、上記最低位置に基づいて上記スマートブレスレットの上記外表面における表示領域を確定するためである。
【０００７】
これでわかるように、本実施形態で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【図面の簡単な説明】
【０００８】
本発明の実施形態または従来技術に係る技術手段を一層明瞭に説明するために、以下、実施形態または従来技術に必要な添付図面を簡単に紹介する。以下に説明される添付図面は、本発明の一部の実施形態に関するものだけであることが明らかであり、当業者にとって、創造的な労働なしに、これらの図面から他の図面を得ることができる。
【図１ａ】図１ａは、本発明の実施形態によるスマートブレスレットの概略図である。
【図１ｂ】図１ｂは、本発明による表示位置調整方法の第一実施形態のフローチャートである。
【図１ｃ】図１ｃは、本発明の実施形態によるスマートブレスレットにおける座標の概略図である。
【図２】図２は、本発明による表示位置調整方法の第二実施形態のフローチャートである。
【図３】図３は、本発明によるスマートブレスレットの第一実施形態の概略構造図である。
【図４】図４は、本発明によるスマートブレスレットの第二実施形態の概略構造図である。
【図５】図５は、本発明によるスマートブレスレットの第三実施形態の概略構造図である。
【発明を実施するための形態】
【０００９】
本発明の実施形態は、ユーザに嵌められるスマートブレスレットのオリエンテーション変化に応じてスマートブレスレットにおける表示領域を調整することができる表示位置調整方法及びスマートブレスレットを提供する。
【００１０】
本発明の実施形態の目的、技術手段及び利点を一層明瞭にするために、以下、本発明の実施形態に係る添付図面を参照しながら、本発明の実施形態に係る技術手段を明瞭に、完全に説明する。ここで説明される実施形態は、本発明のすべての実施形態ではなく、一部の実施形態だけであることが明らかである。本発明の実施形態から当業者が創造的な労働なしに得ることができるすべての他の実施形態は、本発明の範囲に属するものとする。
【００１１】
本明細書で他の意味を持つと規定されない限り、本明細書で用いられる技術上及び科学上の用語は、当業者に理解される通常意味を持つ。また、本明細書で用いられる「第一」、「第二」、「第三」及び「第四」は、異なる要素を区別するためのものであり、特定の順番や数量や重要性を説明するためのものではない。同様に、「一つ」、「１つ」及び「当該」などの用語は、数量制限を表していなく、少なくとも１つを表す。「含む」、「含める」などの用語は、前に現れた素子や要素が後に例示する素子や要素及び均等物を包含し、他の素子や要素を排除しないことを意味する。「接続」、「連接」などの用語は、直接や間接にかかわらず、物理的な接続または機械的な接続に限定されなく、電気的な接続を含んでよい。「上」、「下」、「左」、「右」等は、相対位置関係を説明するためのものに過ぎず、説明された要素の絶対位置が変化した場合、当該相対位置関係が変化するかもしれない。
【００１２】
本明細書において、「実施形態」への言及とは、その実施形態に関連して述べる特定の特徴、構造又は特性が本発明の少なくとも１つの実施形態に包含されることを意味する。本明細書の種々の場所に当該用語が現れたときは、必ずしも同じ実施形態を指していなく、他の実施形態を排斥する独立的または代替的実施形態を指していない。当業者が明示的または非明示的に理解するように、本明細書に説明された実施形態は、他の実施形態と組み合わせることができる。
【００１３】
本発明の実施形態に係る表示位置調整方法は、スマートブレスレットに適用される。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。表示位置調整方法は、上記複数の圧力センサーによって検出された複数の圧力値を受信することと、上記複数の圧力値のうち最も大きい圧力値に対応する圧力センサーの位置を上記スマートブレスレットにおける最低位置として確定することと、上記最低位置に基づいて上記スマートブレスレットの上記外表面における表示領域を確定することとを備える。
【００１４】
以下、図面を参照しながら、本発明の実施形態については説明する。図１ａは、本発明の実施形態によるスマートブレスレットの概略図である。図１ａに示すように、当該スマートブレスレットの内表面には、複数の圧力センサー１０が設けられる。当該スマートブレスレットのチェンバーには、自由移動体２０が収納される。当該自由移動体は、上記スマートブレスレットの内表面に沿って移動可能である。上記スマートブレスレットの外表面は、表示可能領域を含む。
【００１５】
本発明の実施形態において、当該自由移動体が、環形のチェンバーに沿って移動するとき、スマートブレスレットの内表面に設けられた圧力センサーを押圧するため、当該圧力センサーは、圧力値を検出する。異なる位置に設けられた圧力センサーによって検出された圧力値は異なり、スマートブレスレットにおける最低位置で検出された圧力値は、最も大きい。
【００１６】
本発明の実施形態において、当該圧力センサーは、少なくとも２つである。
【００１７】
好ましくは、当該複数の圧力センサーは、スマートブレスレットの内表面に等間隔に設けられる。
【００１８】
好ましくは、本発明の１つ実施形態において、当該スマートブレスレットは、環形パイプ状のスマートブレスレットであってもよい。このため、当該環形パイプの内表面に、若干の圧力センサーが等間隔に設けられると共に、当該環形パイプ内に、自由移動体、例えば重力を有する流動液体が収納されることが可能である。従って、当該環形パイプ状のスマートブレスレットの位置が変化するにつれ、当該移動自在な液体は流れる。このため、当該液体は、液体の重力によって圧力センサーを押圧する。環形パイプ状のスマートブレスレットにおける最低位置に位置するセンサーによって検出された圧力値は最も大きいと理解される。
【００１９】
任意選択的に、本発明の他の実施形態において、当該スマートブレスレットは、半密閉形状であってもよく、当該半密閉形状のスマートブレスレットの内表面に複数の圧力センサーが設けられ、且つ、当該スマートブレスレット内に、若干の移動自在な固体が設けられる。当該固体は、当該半密閉形状のスマートブレスレット内に遊嵌される。スマートブレスレットの位置が変化するとき、当該固体は、半密閉形状のスマートブレスレットに沿って移動し、そして、圧力センサーを押圧する。半密閉形状のスマートブレスレットの最低位置に位置するセンサーによって検出された圧力値は最も大きい。
【００２０】
任意選択的に、当該スマートブレスレットの外表面は、全てが表示可能領域であってもよく、一部が表示可能領域であってもよい。
【００２１】
好ましくは、ユーザの観察習慣に合うように、スマートブレスレットの外周全体の１／３は表示可能領域であってもよい。これは、ユーザによってある時刻に観察されることができるスマートブレスレットの領域が領域全体の１／３に過ぎない。
【００２２】
図１ｂは、本発明による表示位置調整方法の第一実施形態のフローチャートである。当該表示位置調整方法は、図１ａに示すスマートブレスレットに基づくものである。図１ｂに示すように、当該表示位置調整方法は、以下のステップＳ１０１〜Ｓ１０３を備える。
【００２３】
Ｓ１０１は、複数の圧力センサーによって検出された複数の圧力値を受信することである。
【００２４】
本発明の実施形態において、図１ａに示すスマートブレスレットは、スマートブレスレットの内表面に設けられた複数の圧力センサーによって検出された複数の圧力値を受信する。
【００２５】
Ｓ１０２は、当該複数の圧力値のうち最も大きい圧力値に対応する圧力センサーの位置をスマートブレスレットにおける最低位置として確定することである。
【００２６】
最低位置とは、スマートブレスレットが置かれるとき、地面に最も近い位置を意味する。地面に最も近い位置には、圧力センサーによって検出された自由移動体による圧力値は、最も大きい。
【００２７】
本発明の実施形態において、スマートブレスレットに設けられた圧力センサーの数が多ければ多いほど、検出されたスマートブレスレットにおける最低位置は精確になる。圧力センサーの数が少ない場合、ある時刻に最低位置に圧力センサーが設けられないため、最低位置の検出に誤差が生じるおそれがあると理解される。従って、スマートブレスレットに設けられた圧力センサーの数が多い場合、スマートブレスレットが任意に変動しても、最低位置にはいつも圧力センサーが位置するため、検出は一層精確になる。
【００２８】
Ｓ１０３は、最低位置に基づいてスマートブレスレットの外表面における表示領域を確定することである。
【００２９】
本発明の実施形態において、当該外表面における表示領域は、変動可能な表示領域であり、つまり、目前の表示領域がユーザの観察習慣に合うように、スマートブレスレットのオリエンテーションに応じて、目前の表示領域を調整することができる。スマートブレスレットのオリエンテーションは、最低位置に基づいて確定されることができるため、スマートブレスレットの外表面における表示領域は最低位置に基づいて確定されることができる。
【００３０】
これでわかるように、本実施形態による技術手段で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００３１】
任意選択的に、本発明の若干の可能な実施形態において、上記最低位置に基づいて上記スマートブレスレットの上記外表面における表示領域を確定することは、上記スマートブレスレットにおける初期位置、第一距離値及び第二距離値を設定することと、上記初期位置から予定方向に沿って上記最低位置までの第三距離値を算出することと、上記第一距離値及び第三距離値に基づいて第一表示位置値を算出すると共に、上記第二距離値及び上記第三距離値に基づいて第二表示位置値を算出することと、上記予定方向に沿って上記初期位置との間隔が上記第一表示位置値である第一表示位置を確定すると共に、上記予定方向に沿って上記初期位置との間隔が上記第二表示位置値である第二表示位置を確定することと、上記第一表示位置と上記第二表示位置との間の領域を上記表示領域として確定することとを備える。
【００３２】
本発明の実施形態において、当該外表面における表示領域は、第一表示位置と第二表示位置との間の領域である。
【００３３】
任意選択的に、当該表示領域は、スマートブレスレットの外周全体の一部分であってもよく、好ましくは、スマートブレスレットの外周全体の１／３である。
【００３４】
第一位置及び第二位置のうち当該第一位置が最低位置に近いとすると、第一距離値とは、予定の、第一表示位置と最低位置との間のスマートブレスレットに沿う絶対距離値のうち短いものを意味する。第二距離値とは、予定の、第二表示位置から第一表示位置を介して最低位置までのスマートブレスレットに沿う絶対距離値を意味する。第三距離値とは、上記初期位置から予定方向に沿って上記最低位置までのスマートブレスレットに沿う絶対距離値を意味する。例えば、スマートブレスレットが円形である場合、上記第一距離値、第二距離値及び第三距離値とは、いずれも、二つの点の間の円弧長を意味しており、二つの点の間の直線距離を意味しない。
【００３５】
本発明の実施形態において、当該予定方向は、スマートブレスレットに沿う時計方向であってもよく、スマートブレスレットに沿う反時計方向であってもよい。
【００３６】
スマートブレスレットにおける最低位置を検出し、第一表示位置、第二表示位置と最低位置との間の関係を予め設定し、第一表示位置及び第二表示位置を算出することにより、スマートブレスレットにおける最低位置に基づいてスマートブレスレットにおける表示領域を確定し、スマートブレスレットのオリエンテーション変化に応じてスマートブレスレットにおける表示領域を自動的に調整することができると理解される。
【００３７】
任意選択的に、本発明の若干の可能な実施形態において、上記予定方向が上記スマートブレスレットに沿う反時計方向であり、上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【００３８】
それと共に、上記第二距離値及び上記第三距離値に基づいて第二表示位置値を算出することは、上記第三距離値から上記第二距離値を減じ、上記スマートブレスレットの長さを加え、そして、上記スマートブレスレットの長さで除することにより、上記第二表示位置値である余りを取得することを備える。
【００３９】
具体的に、図１ｃは本発明の実施形態によるスマートブレスレットにおける座標の概略図である。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第二距離値がｋであり、第三距離値がｓ（つまり、圧力センサーによって検出されたＤ点の座標値）であるとすると、第一表示位置Ｂの座標値はＸｂ＝（ｓ＋Ｌ−ｌ）％Ｌになり、第二表示位置Ｃの座標値はＸｃ＝（ｓ＋Ｌ−ｋ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００４０】
任意選択的に、本発明の若干の可能な実施形態において、上記予定方向が上記スマートブレスレットに沿う時計方向であり、上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【００４１】
任意選択的に、本発明の若干の可能な実施形態において、上記予定方向が上記スマートブレスレットに沿う時計方向であり、上記第二距離値及び上記第三距離値に基づいて第二表示位置値を算出することは、上記第三距離値に上記第二距離値を加え、上記スマートブレスレットの長さを加え、そして、上記スマートブレスレットの長さで除することにより、上記第二表示位置値である余りを取得することを備える。
【００４２】
具体的に、図１ｃを参照する。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第二距離値がｋであり、第三距離値がｓ（つまり、圧力センサーによって検出されたＤ点の座標値）であるとすると、第一表示位置Ｂの座標値はＸｂ＝（ｓ＋Ｌ＋ｌ）％Ｌになり、第二表示位置Ｃの座標値はＸｃ＝（ｓ＋Ｌ＋ｋ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００４３】
本発明の実施形態において、スマートブレスレットにおける第一表示位置及び第二表示位置を計算するとき、各位置の座標は座標原点に基づいて設定されたものであるため、座標原点からの方向が異なる場合、座標値は異なるため、時計方向と反時計方向のそれぞれについては計算する必要があると理解される。
【００４４】
任意選択的に、本発明の若干の可能な実施形態において、上記最低位置に基づいて上記スマートブレスレットの上記外表面における表示領域を確定することは、上記スマートブレスレットにおける初期位置、第一距離値及び第四距離値を設定することと、上記初期位置から予定方向に沿って上記最低位置までの第三距離値を算出することと、上記第一距離値及び第三距離値に基づいて第一表示位置値を算出することと、当該予定方向に沿って上記初期位置との間隔が上記第一表示位置値である第一表示位置を確定することと、当該予定方向と逆の方向に沿って当該第一表示位置との間隔が上記第四距離値である第二表示位置を確定することと、上記第一表示位置と上記第二表示位置との間の領域を上記表示領域として確定することとを備える。
【００４５】
第一距離値及び第三距離値は、意味が以上の通りである。第四距離値とは、第一表示位置Ｂと第二表示位置Ｃとの間の絶対距離値のうち短いものを意味する。
【００４６】
本発明の実施形態において、当該予定方向は、スマートブレスレットに沿う時計方向であってもよく、スマートブレスレットに沿う反時計方向であってもよい。
【００４７】
スマートブレスレットにおける最低位置を検出し、第一表示位置、第二表示位置と最低位置との間の関係を予め設定し、第一表示位置及び第二表示位置を算出することにより、スマートブレスレットにおける最低位置に基づいてスマートブレスレットにおける表示領域を確定し、スマートブレスレットのオリエンテーション変化に応じてスマートブレスレットにおける表示領域を自動的に調整することができると理解される。
【００４８】
任意選択的に、本発明の若干の可能な実施形態において、上記予定方向が上記スマートブレスレットに沿う反時計方向であり、上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【００４９】
具体的に、図１ｃを参照する。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第四距離値がｐであり、第三距離値がｓ（つまり、圧力センサーによって検出されたＤ点の座標値）であるとすると、第一表示位置Ｂの座標値はＸｂ＝（ｓ＋Ｌ−ｌ）％Ｌになり、第二表示位置Ｃの座標値はＸｃ＝（ｐ−Ｘｂ＋Ｌ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣にあうと理解される。
【００５０】
任意選択的に、本発明の若干の可能な実施形態において、上記予定方向が上記スマートブレスレットに沿う時計方向であり、上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【００５１】
具体的に、図１ｃを参照する。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第四距離値がｐであり、第三距離値がｓ（つまり、圧力センサーによって検出されたＤ点の座標値）であるとすると、第一表示位置Ｂの座標値はＸｂ＝（ｓ＋Ｌ＋ｌ）％Ｌになり、第二表示位置Ｃの座標値はＸｃ＝（ｐ−Ｘｂ＋Ｌ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００５２】
本発明の実施形態において、スマートブレスレットにおける第一表示位置及び第二表示位置を計算するとき、各位置の座標は座標原点に基づいて設定されたものであるため、座標原点からの方向が異なる場合、座標値は異なるため、時計方向と反時計方向のそれぞれについては計算する必要があると理解される。
【００５３】
任意選択的に、本発明の若干の可能な実施形態において、上記最低位置に基づいて上記スマートブレスレットの上記外表面における表示領域を確定することは、上記最低位置と予定表示領域対応関係に基づいて上記表示領域を確定することを備え、上記予定表示領域対応関係は、上記最低位置と上記表示領域との対応関係である。
【００５４】
予定表示領域対応関係は、ユーザが使用習慣に応じて、スマートブレスレットを嵌めるとき、スマートブレスレットにおける最低位置及びスマートブレスレットにおけるユーザの観察に最も適した位置に基づいて確定するものである。
【００５５】
本発明の実施形態において、予定表示領域対応関係を予め設定した場合、ユーザがスマートブレスレットを使用するとき、スマートセンサーによって検出された最低位置及び当該予定表示領域対応関係に基づいて表示領域を確定する。
【００５６】
最低位置と表示領域との対応関係を予め確定することにより、スマートブレスレットのオリエンテーションに応じてスマートブレスレットにおける表示領域を自動的に調整することができると理解される。
【００５７】
本発明の実施形態の上記技術手段の一層の理解と実施に便利になるように、以下、図２を参照しながら、本発明の実施形態については一層説明する。
【００５８】
図２を参照する。図２は、本発明による表示位置調整方法の第二実施形態のフローチャートである。図２に示す方法において、図１に示す方法の要素と同様なまたは類似のものは、図１の詳しい説明から理解されることができるので、ここで二度と説明しない。図２に示すように、本発明の実施形態による表示位置調整方法は、以下のステップＳ２０１〜Ｓ２０７を備える。
【００５９】
Ｓ２０１は、複数の圧力センサーによって検出された複数の圧力値を受信することである。
【００６０】
Ｓ２０２は、当該複数の圧力値のうち最も大きい圧力値に対応する圧力センサーの位置をスマートブレスレットにおける最低位置として確定することである。
【００６１】
Ｓ２０３は、スマートブレスレットにおける初期位置、第一距離値及び第二距離値を設定することである。
【００６２】
Ｓ２０４は、初期位置から予定方向に沿って最低位置までの第三距離値を算出することである。
【００６３】
Ｓ２０５は、第一距離値及び第三距離値に基づいて第一表示位置値を算出すると共に、第二距離値及び第三距離値に基づいて第二表示位置値を算出することである。
【００６４】
Ｓ２０６は、予定方向に沿って初期位置との間隔が第一表示位置値である第一表示位置を確定すると共に、予定方向に沿って初期位置との間隔が第二表示位置値である第二表示位置を確定することである。
【００６５】
Ｓ２０７は、第一表示位置と第二表示位置との間の領域を表示領域として確定することである。
【００６６】
これでわかるように、本実施形態による技術手段で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００６７】
本発明の実施形態は、スマートブレスレットをさらに提供する。このスマートブレスレットは、上記複数の圧力センサーによって検出された複数の圧力値を受信するための受信ユニットと、上記複数の圧力値のうち最も大きい圧力値に対応する圧力センサーの位置を上記スマートブレスレットにおける最低位置として確定するための確定ユニットとを備え、当該確定ユニットは、さらに、上記最低位置に基づいて上記スマートブレスレットの上記外表面における表示領域を確定するためである。
【００６８】
具体的に、図３は、本発明によるスマートブレスレットの第一実施形態の概略構造図である。当該スマートブレスレットは、本発明の実施形態に開示された表示位置調整方法を実現するためのものである。図３に示すように、本発明の実施形態によるスマートブレスレット３００は、受信ユニット３１０と確定ユニット３２０とを備える。
【００６９】
受信ユニット３１０は、上記複数の圧力センサーによって検出された複数の圧力値を受信するためである。
【００７０】
本発明の実施形態において、図１ａに示すスマートブレスレットは、スマートブレスレットの内表面に設けられた複数の圧力センサーによって検出された複数の圧力値を受信する。
【００７１】
確定ユニット３２０は、上記複数の圧力値のうち最も大きい圧力値に対応する圧力センサーの位置をスマートブレスレットにおける最低位置として確定するためである。
【００７２】
最低位置とは、スマートブレスレットが置かれるとき、地面に最も近い位置を意味する。地面に最も近い位置には、圧力センサーによって検出された自由移動体による圧力値は、最も大きい。
【００７３】
確定ユニット３３０は、さらに、上記最低位置に基づいてスマートブレスレットの上記外表面における表示領域を確定するためである。
【００７４】
本発明の実施形態において、当該外表面における表示領域は、変動可能な表示領域であり、つまり、目前の表示領域がユーザの観察習慣に合うように、スマートブレスレットのオリエンテーションに応じて、目前の表示領域を調整することができる。スマートブレスレットのオリエンテーションは、最低位置に基づいて確定されることができるため、スマートブレスレットの外表面における表示領域は最低位置に基づいて確定されることができる。
【００７５】
これでわかるように、本実施形態による技術手段で、スマートブレスレット３００の内表面に複数の圧力センサーが設けられると共に、スマートブレスレット３００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット３００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００７６】
本実施形態において、スマートブレスレット３００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【００７７】
本実施形態のスマートブレスレット３００の各ユニットの機能は、上記方法実施形態による方法に基づいて実現されることができ、具体的な実現過程は、上記方法実施形態に関する説明から理解されることができるので、ここで二度と説明しないと理解される。
【００７８】
図４は、本発明によるスマートブレスレットの第二実施形態の概略構造図である。当該スマートブレスレットは、本発明の実施形態に開示された表示位置調整方法を実現するためのものである。図４に示すスマートブレスレットは、図３に示すスマートブレスレットを最適化したものである。図４に示すスマートブレスレットは、図３に示すスマートブレスレットのユニットに加え、以下の構造を有する。
【００７９】
任意選択的に、本発明の若干の可能な実施形態において、上記確定ユニット４２０は、上記スマートブレスレットにおける初期位置、第一距離値及び第二距離値を設定するための設定ユニット４２１と、上記初期位置から予定方向に沿って上記最低位置までの第三距離値を算出するための算出ユニット４２２とを備える。
【００８０】
上記算出ユニット４２２は、さらに、上記第一距離値及び第三距離値に基づいて第一表示位置値を算出すると共に、上記第二距離値及び上記第三距離値に基づいて第二表示位置値を算出するためである。
【００８１】
上記確定ユニット４２０は、さらに、上記予定方向に沿って上記初期位置との間隔が上記第一表示位置値である第一表示位置を確定すると共に、上記予定方向に沿って上記初期位置との間隔が上記第二表示位置値である第二表示位置を確定するためである。
【００８２】
上記確定ユニット４２０は、さらに、上記第一表示位置と上記第二表示位置との間の領域を上記表示領域として確定するためである。
【００８３】
任意選択的に、本発明の若干の可能な実施形態において、上記予定方向は上記スマートブレスレットに沿う反時計方向であり、上記算出ユニット４２２は、上記第三距離値から上記第一距離値を減じ、上記スマートブレスレットの長さを加え、そして、上記スマートブレスレットの長さで除することにより、上記第一表示位置値である余りを取得するように配置される。
【００８４】
任意選択的に、本発明の若干の可能な実施形態において、上記予定方向は上記スマートブレスレットに沿う反時計方向であり、上記算出ユニット４２２は、上記第三距離値から上記第二距離値を減じ、上記スマートブレスレットの長さを加え、そして、上記スマートブレスレットの長さで除することにより、上記第二表示位置値である余りを取得するように配置される。
【００８５】
任意選択的に、本発明の若干の可能な実施形態において、上記予定方向は上記スマートブレスレットに沿う時計方向であり、上記算出ユニット４２２は、上記第三距離値に上記第一距離値を加え、上記スマートブレスレットの長さを加え、そして、上記スマートブレスレットの長さで除することにより、上記第一表示位置値である余りを取得するように配置される。
【００８６】
任意選択的に、本発明の若干の可能な実施形態において、上記予定方向は上記スマートブレスレットに沿う時計方向であり、上記算出ユニット４２２は、上記第三距離値に上記第二距離値を加え、上記スマートブレスレットの長さを加え、そして、上記スマートブレスレットの長さで除することにより、上記第二表示位置値である余りを取得するように配置される。
【００８７】
任意選択的に、本発明の若干の可能な実施形態において、上記設定ユニット４２１は、さらに、上記スマートブレスレットにおける初期位置、第一距離値及び第四距離値を設定するためである。
【００８８】
上記算出ユニット４２２は、さらに、上記初期位置から予定方向に沿って上記最低位置までの第三距離値を算出するためである。
【００８９】
上記算出ユニット４２２は、さらに、上記第一距離値及び第三距離値に基づいて第一表示位置値を算出するためである。
【００９０】
上記確定ユニット４２０は、さらに、当該予定方向に沿って上記初期位置との間隔が上記第一表示位置値である第一表示位置を確定するためである。
【００９１】
上記確定ユニット４２０は、さらに、当該予定方向と逆の方向に沿って当該第一表示位置との間隔が上記第四距離値である第二表示位置を確定するためである。
【００９２】
上記確定ユニット４２０は、さらに、上記第一表示位置と上記第二表示位置との間の領域を上記表示領域として確定するためである。
【００９３】
任意選択的に、本発明の若干の可能な実施形態において、上記予定方向は上記スマートブレスレットに沿う反時計方向であり、上記算出ユニット４２２は、上記第三距離値から上記第一距離値を減じ、上記スマートブレスレットの長さを加え、そして、上記スマートブレスレットの長さで除することにより、上記第一表示位置値である余りを取得するように配置される。
【００９４】
任意選択的に、本発明の若干の可能な実施形態において、上記予定方向は上記スマートブレスレットに沿う反時計方向であり、上記算出ユニット４２２は、上記第三距離値から上記第二距離値を減じ、上記スマートブレスレットの長さを加え、そして、上記スマートブレスレットの長さで除することにより、上記第二表示位置値である余りを取得するように配置される。
【００９５】
任意選択的に、本発明の若干の可能な実施形態において、上記予定方向は上記スマートブレスレットに沿う時計方向であり、上記算出ユニット４２２は、上記第三距離値に上記第一距離値を加え、上記スマートブレスレットの長さを加え、そして、上記スマートブレスレットの長さで除することにより、上記第一表示位置値である余りを取得するように配置される。
【００９６】
任意選択的に、本発明の若干の可能な実施形態において、上記予定方向は上記スマートブレスレットに沿う時計方向であり、上記算出ユニット４２２は、上記第三距離値に上記第二距離値を加え、上記スマートブレスレットの長さを加え、そして、上記スマートブレスレットの長さで除することにより、上記第二表示位置値である余りを取得するように配置される。
【００９７】
任意選択的に、本発明の若干の可能な実施形態において、上記設定ユニット４２１は、さらに、上記スマートブレスレットにおける初期位置、第一距離値及び第四距離値を設定するためである。
【００９８】
上記算出ユニット４２２は、さらに、上記初期位置から予定方向に沿って上記最低位置までの第三距離値を算出するためである。
【００９９】
上記算出ユニット４２２は、さらに、上記第一距離値及び第三距離値に基づいて第一表示位置値を算出するためである。
【０１００】
上記確定ユニット４２０は、さらに、当該予定方向に沿って上記初期位置との間隔が上記第一表示位置値である第一表示位置を確定するためである。
【０１０１】
上記確定ユニット４２０は、さらに、当該予定方向と逆の方向に沿って当該第一表示位置との間隔が上記第四距離値である第二表示位置を確定するためである。
【０１０２】
上記確定ユニット４２０は、さらに、上記第一表示位置と上記第二表示位置との間の領域を上記表示領域として確定するためである。
【０１０３】
任意選択的に、本発明の若干の可能な実施形態において、上記予定方向は上記スマートブレスレットに沿う反時計方向であり、上記算出ユニット４２２は、上記第三距離値から上記第一距離値を減じ、上記スマートブレスレットの長さを加え、そして、上記スマートブレスレットの長さで除することにより、上記第一表示位置値である余りを取得するように配置される。
【０１０４】
任意選択的に、本発明の若干の可能な実施形態において、上記算出ユニット４２２は、上記第三距離値に上記第一距離値を加え、上記スマートブレスレットの長さを加え、そして、上記スマートブレスレットの長さで除することにより、上記第一表示位置値である余りを取得するように配置される。
【０１０５】
任意選択的に、本発明の若干の可能な実施形態において、上記確定ユニット４２０は、上記最低位置と予定表示領域対応関係に基づいて上記表示領域を確定するように配置され、上記予定表示領域対応関係は、上記最低位置と上記表示領域との対応関係である。
【０１０６】
これでわかるように、本実施形態による技術手段で、スマートブレスレット４００の内表面に複数の圧力センサーが設けられると共に、スマートブレスレット４００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット４００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【０１０７】
本実施形態において、スマートブレスレット４００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【０１０８】
本実施形態のスマートブレスレット４００の各ユニットの機能は、上記方法実施形態による方法に基づいて実現されることができ、具体的な実現過程は、上記方法実施形態に関する説明から理解されることができるので、ここで二度と説明しないと理解される。
【０１０９】
図５は、本発明によるスマートブレスレットの第三実施形態の概略構造図である。当該スマートブレスレットは、本発明の実施形態に開示された表示位置調整方法を実現するためのものである。当該スマートブレスレット５００は、少なくとも一つのバス５０１と、バス５０１に接続された少なくとも一つのプロセッサ５０２と、バス５０１に接続された少なくとも一つのメモリ５０３とを備える。
【０１１０】
プロセッサ５０２は、バス５０１を介して、メモリに格納されたプログラム・コードを読み取ることにより、上記複数の圧力センサーによって検出された複数の圧力値を受信し、上記複数の圧力値のうち最も大きい圧力値に対応する圧力センサーの位置を上記スマートブレスレットにおける最低位置として確定し、上記最低位置に基づいて上記スマートブレスレットの上記外表面における表示領域を確定する。
【０１１１】
任意選択的に、本発明の若干の可能な実施形態において、上記プロセッサ５０２が上記最低位置に基づいて上記スマートブレスレットの上記外表面における表示領域を確定することは、上記スマートブレスレットにおける初期位置、第一距離値及び第二距離値を設定することと、上記初期位置から予定方向に沿って上記最低位置までの第三距離値を算出することと、上記第一距離値及び第三距離値に基づいて第一表示位置値を算出すると共に、上記第二距離値及び上記第三距離値に基づいて第二表示位置値を算出することと、上記予定方向に沿って上記初期位置との間隔が上記第一表示位置値である第一表示位置を確定すると共に、上記予定方向に沿って上記初期位置との間隔が上記第二表示位置値である第二表示位置を確定することと、上記第一表示位置と上記第二表示位置との間の領域を上記表示領域として確定することとを備える。
【０１１２】
任意選択的に、本発明の若干の可能な実施形態において、上記予定方向が上記スマートブレスレットに沿う反時計方向であり、上記プロセッサ５０２が上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【０１１３】
任意選択的に、本発明の若干の可能な実施形態において、上記予定方向が上記スマートブレスレットに沿う反時計方向であり、上記プロセッサ５０２が上記第二距離値及び上記第三距離値に基づいて第二表示位置値を算出することは、上記第三距離値から上記第二距離値を減じ、上記スマートブレスレットの長さを加え、そして、上記スマートブレスレットの長さで除することにより、上記第二表示位置値である余りを取得することを備える。
【０１１４】
任意選択的に、本発明の若干の可能な実施形態において、上記予定方向が上記スマートブレスレットに沿う時計方向であり、上記プロセッサ５０２が上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【０１１５】
任意選択的に、本発明の若干の可能な実施形態において、上記予定方向が上記スマートブレスレットに沿う時計方向であり、上記プロセッサ５０２が上記第二距離値及び上記第三距離値に基づいて第二表示位置値を算出することは、上記第三距離値に上記第二距離値を加え、上記スマートブレスレットの長さを加え、そして、上記スマートブレスレットの長さで除することにより、上記第二表示位置値である余りを取得することを備える。
【０１１６】
任意選択的に、本発明の若干の可能な実施形態において、上記プロセッサ５０２が上記最低位置に基づいて上記スマートブレスレットの上記外表面における表示領域を確定することは、上記スマートブレスレットにおける初期位置、第一距離値及び第四距離値を設定することと、上記初期位置から予定方向に沿って上記最低位置までの第三距離値を算出することと、上記第一距離値及び第三距離値に基づいて第一表示位置値を算出することと、当該予定方向に沿って上記初期位置との間隔が上記第一表示位置値である第一表示位置を確定することと、当該予定方向と逆の方向に沿って当該第一表示位置との間隔が上記第四距離値である第二表示位置を確定することと、上記第一表示位置と上記第二表示位置との間の領域を上記表示領域として確定することとを備える。
【０１１７】
任意選択的に、本発明の若干の可能な実施形態において、上記予定方向が上記スマートブレスレットに沿う反時計方向であり、上記プロセッサ５０２が上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【０１１８】
任意選択的に、本発明の若干の可能な実施形態において、上記予定方向が上記スマートブレスレットに沿う時計方向であり、上記プロセッサ５０２が上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【０１１９】
任意選択的に、本発明の若干の可能な実施形態において、上記プロセッサ５０２が上記最低位置に基づいて上記スマートブレスレットの上記外表面における表示領域を確定することは、上記最低位置と予定表示領域対応関係に基づいて上記表示領域を確定することを備え、上記予定表示領域対応関係は、上記最低位置と上記表示領域との対応関係である。
【０１２０】
これでわかるように、本実施形態による技術手段で、スマートブレスレット５００の内表面に複数の圧力センサーが設けられると共に、スマートブレスレット５００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット５００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【０１２１】
本実施形態において、スマートブレスレット５００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【０１２２】
本実施形態のスマートブレスレット５００の各ユニットの機能は、上記方法実施形態による方法に基づいて実現されることができ、具体的な実現過程は、上記方法実施形態に関する説明から理解されることができるので、ここで二度と説明しないと理解される。
【０１２３】
以上のように、上記実施形態は、本発明の技術手段を説明するためのものに過ぎなく、本発明を制限するものではない。上記実施形態を参照しながら本発明を詳しく説明したが、当業者が理解できるように、上記各実施形態に記載の技術手段を依然として修正し、または、一部の技術特徴に対して均等置換を行うことができる。これらの修正または置換は、本発明の各実施形態の技術手段の範囲を対応する技術手段の要旨に逸脱させるものではない。
【図１ａ】
2019527436.tif 000003
【図１ｂ】
2019527436.tif 000004
【図１ｃ】
2019527436.tif 000005
【図２】
2019527436.tif 000006
【図３】
2019527436.tif 000007
【図４】
2019527436.tif 000008
【図５】
2019527436.tif 000009
【手続補正書】
【提出日】平成31年1月25日(2019.1.25)
【手続補正１】
【補正対象書類名】明細書
【補正対象項目名】全文
【補正方法】変更
【補正の内容】
【発明の詳細な説明】
【技術分野】
【０００１】
本発明は、電子技術分野に関し、特に、表示位置調整方法及びスマートブレスレットに関する。
【背景技術】
【０００２】
スマート製品の発達につれ、ウェアラブルデバイスの応用は、ますます広くまる。スマートブレスレットも、ウェアラブルデバイスの主な形態の一つとして、人々によってますます多く用いられる。
【０００３】
スマートブレスレットは、日常生活の鍛錬、飲食などのリアルタイムデータを記録することができ、且つ、スマートブレスレットと同期通信する携帯電話などのスマート端末におけるデータを同期表示することができるため、スマートブレスレットには、表示可能領域が相応して備わる。しかしながら、現在、スマートブレスレットの表示可能領域が大きく、例えば、外周全体の７０％ないし全部を占めるが、人々が、ブレスレットを嵌めるとき、表示可能領域の一部だけを目で見ることができるため、ブレスレットがゆったりとする場合、腕が揺れるのに伴い、ブレスレットにおける表示位置は変わる。従って、ブレスレットの特定領域に表示されたものを見るとき、他方の手の協力は必要となり、表示可能領域全体の利用率が低減され、ブレスレットを見るユーザに不便です。
【発明の概要】
【０００４】
本発明の実施形態は、ユーザに嵌められるスマートブレスレットのオリエンテーション変化に応じてスマートブレスレットにおける表示領域を調整することができる表示位置調整方法及びスマートブレスレットを提供する。
【０００５】
一つの方面によれば、本発明の実施形態は、スマートブレスレットに適用される表示位置調整方法を提供する。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。当該表示位置調整方法は、上記複数の圧力センサーによって検出された複数の圧力値を受信することと、上記複数の圧力値のうち最も大きい圧力値に対応する圧力センサーの位置を上記スマートブレスレットにおける最低位置として確定することと、上記最低位置に基づいて上記スマートブレスレットの上記外表面における表示領域を確定することとを備える。
【０００６】
他の方面によれば、本発明の実施形態は、スマートブレスレットを提供する。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。当該スマートブレスレットは、上記複数の圧力センサーによって検出された複数の圧力値を受信するための受信ユニットと、上記複数の圧力値のうち最も大きい圧力値に対応する圧力センサーの位置を上記スマートブレスレットにおける最低位置として確定するための確定ユニットとを備え、当該確定ユニットは、さらに、上記最低位置に基づいて上記スマートブレスレットの上記外表面における表示領域を確定するためである。
【０００７】
これでわかるように、本実施形態で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【図面の簡単な説明】
【０００８】
本発明の実施形態または従来技術に係る技術手段を一層明瞭に説明するために、以下、実施形態または従来技術に必要な添付図面を簡単に紹介する。以下に説明される添付図面は、本発明の一部の実施形態に関するものだけであることが明らかであり、当業者にとって、創造的な労働なしに、これらの図面から他の図面を得ることができる。
【図１ａ】図１ａは、本発明の実施形態によるスマートブレスレットの概略図である。
【図１ｂ】図１ｂは、本発明による表示位置調整方法の第一実施形態のフローチャートである。
【図１ｃ】図１ｃは、本発明の実施形態によるスマートブレスレットにおける座標の概略図である。
【図２】図２は、本発明による表示位置調整方法の第二実施形態のフローチャートである。
【図３】図３は、本発明によるスマートブレスレットの第一実施形態の概略構造図である。
【図４】図４は、本発明によるスマートブレスレットの第二実施形態の概略構造図である。
【図５】図５は、本発明によるスマートブレスレットの第三実施形態の概略構造図である。
【発明を実施するための形態】
【０００９】
本発明の実施形態は、ユーザに嵌められるスマートブレスレットのオリエンテーション変化に応じてスマートブレスレットにおける表示領域を調整することができる表示位置調整方法及びスマートブレスレットを提供する。
【００１０】
本発明の実施形態の目的、技術手段及び利点を一層明瞭にするために、以下、本発明の実施形態に係る添付図面を参照しながら、本発明の実施形態に係る技術手段を明瞭に、完全に説明する。ここで説明される実施形態は、本発明のすべての実施形態ではなく、一部の実施形態だけであることが明らかである。本発明の実施形態から当業者が創造的な労働なしに得ることができるすべての他の実施形態は、本発明の範囲に属するものとする。
【００１１】
本明細書で他の意味を持つと規定されない限り、本明細書で用いられる技術上及び科学上の用語は、当業者に理解される通常意味を持つ。また、本明細書で用いられる「第一」、「第二」、「第三」及び「第四」は、異なる要素を区別するためのものであり、特定の順番や数量や重要性を説明するためのものではない。同様に、「一つ」、「１つ」及び「当該」などの用語は、数量制限を表していなく、少なくとも１つを表す。「含む」、「含める」などの用語は、前に現れた素子や要素が後に例示する素子や要素及び均等物を包含し、他の素子や要素を排除しないことを意味する。「接続」、「連接」などの用語は、直接や間接にかかわらず、物理的な接続または機械的な接続に限定されなく、電気的な接続を含んでよい。「上」、「下」、「左」、「右」等は、相対位置関係を説明するためのものに過ぎず、説明された要素の絶対位置が変化した場合、当該相対位置関係が変化するかもしれない。
【００１２】
本明細書において、「実施形態」への言及とは、その実施形態に関連して述べる特定の特徴、構造又は特性が本発明の少なくとも１つの実施形態に包含されることを意味する。本明細書の種々の場所に当該用語が現れたときは、必ずしも同じ実施形態を指していなく、他の実施形態を排斥する独立的または代替的実施形態を指していない。当業者が明示的または非明示的に理解するように、本明細書に説明された実施形態は、他の実施形態と組み合わせることができる。
【００１３】
本発明の実施形態に係る表示位置調整方法は、スマートブレスレットに適用される。上記スマートブレスレットの内表面には、複数の圧力センサーが設けられる。上記スマートブレスレットのチェンバーには、自由移動体が収納される。上記自由移動体は、上記スマートブレスレットの内表面に沿って移動可能である。上記スマートブレスレットの外表面は表示可能領域を含む。表示位置調整方法は、上記複数の圧力センサーによって検出された複数の圧力値を受信することと、上記複数の圧力値のうち最も大きい圧力値に対応する圧力センサーの位置を上記スマートブレスレットにおける最低位置として確定することと、上記最低位置に基づいて上記スマートブレスレットの上記外表面における表示領域を確定することとを備える。
【００１４】
以下、図面を参照しながら、本発明の実施形態については説明する。図１ａは、本発明の実施形態によるスマートブレスレットの概略図である。図１ａに示すように、当該スマートブレスレットの内表面には、複数の圧力センサー１０が設けられる。当該スマートブレスレットのチェンバーには、自由移動体２０が収納される。当該自由移動体は、上記スマートブレスレットの内表面に沿って移動可能である。上記スマートブレスレットの外表面は、表示可能領域を含む。
【００１５】
本発明の実施形態において、当該自由移動体が、環形のチェンバーに沿って移動するとき、スマートブレスレットの内表面に設けられた圧力センサーを押圧するため、当該圧力センサーは、圧力値を検出する。異なる位置に設けられた圧力センサーによって検出された圧力値は異なり、スマートブレスレットにおける最低位置で検出された圧力値は、最も大きい。
【００１６】
本発明の実施形態において、当該圧力センサーは、少なくとも２つである。
【００１７】
好ましくは、当該複数の圧力センサーは、スマートブレスレットの内表面に等間隔に設けられる。
【００１８】
好ましくは、本発明の１つ実施形態において、当該スマートブレスレットは、環形パイプ状のスマートブレスレットであってもよい。このため、当該環形パイプの内表面に、若干の圧力センサーが等間隔に設けられると共に、当該環形パイプ内に、自由移動体、例えば重力を有する流動液体が収納されることが可能である。従って、当該環形パイプ状のスマートブレスレットの位置が変化するにつれ、当該移動自在な液体は流れる。このため、当該液体は、液体の重力によって圧力センサーを押圧する。環形パイプ状のスマートブレスレットにおける最低位置に位置するセンサーによって検出された圧力値は最も大きいと理解される。
【００１９】
任意選択的に、本発明の他の実施形態において、当該スマートブレスレットは、半密閉形状であってもよく、当該半密閉形状のスマートブレスレットの内表面に複数の圧力センサーが設けられ、且つ、当該スマートブレスレット内に、若干の移動自在な固体が設けられる。当該固体は、当該半密閉形状のスマートブレスレット内に遊嵌される。スマートブレスレットの位置が変化するとき、当該固体は、半密閉形状のスマートブレスレットに沿って移動し、そして、圧力センサーを押圧する。半密閉形状のスマートブレスレットの最低位置に位置するセンサーによって検出された圧力値は最も大きい。
【００２０】
任意選択的に、当該スマートブレスレットの外表面は、全てが表示可能領域であってもよく、一部が表示可能領域であってもよい。
【００２１】
好ましくは、ユーザの観察習慣に合うように、スマートブレスレットの外周全体の１／３は表示可能領域であってもよい。これは、ユーザによってある時刻に観察されることができるスマートブレスレットの領域が領域全体の１／３に過ぎない。
【００２２】
図１ｂは、本発明による表示位置調整方法の第一実施形態のフローチャートである。当該表示位置調整方法は、図１ａに示すスマートブレスレットに基づくものである。図１ｂに示すように、当該表示位置調整方法は、以下のステップＳ１０１〜Ｓ１０３を備える。
【００２３】
Ｓ１０１は、複数の圧力センサーによって検出された複数の圧力値を受信することである。
【００２４】
本発明の実施形態において、図１ａに示すスマートブレスレットは、スマートブレスレットの内表面に設けられた複数の圧力センサーによって検出された複数の圧力値を受信する。
【００２５】
Ｓ１０２は、当該複数の圧力値のうち最も大きい圧力値に対応する圧力センサーの位置をスマートブレスレットにおける最低位置として確定することである。
【００２６】
最低位置とは、スマートブレスレットが置かれるとき、地面に最も近い位置を意味する。地面に最も近い位置には、圧力センサーによって検出された自由移動体による圧力値は、最も大きい。
【００２７】
本発明の実施形態において、スマートブレスレットに設けられた圧力センサーの数が多ければ多いほど、検出されたスマートブレスレットにおける最低位置は精確になる。圧力センサーの数が少ない場合、ある時刻に最低位置に圧力センサーが設けられないため、最低位置の検出に誤差が生じるおそれがあると理解される。従って、スマートブレスレットに設けられた圧力センサーの数が多い場合、スマートブレスレットが任意に変動しても、最低位置にはいつも圧力センサーが位置するため、検出は一層精確になる。
【００２８】
Ｓ１０３は、最低位置に基づいてスマートブレスレットの外表面における表示領域を確定することである。
【００２９】
本発明の実施形態において、当該外表面における表示領域は、変動可能な表示領域であり、つまり、目前の表示領域がユーザの観察習慣に合うように、スマートブレスレットのオリエンテーションに応じて、目前の表示領域を調整することができる。スマートブレスレットのオリエンテーションは、最低位置に基づいて確定されることができるため、スマートブレスレットの外表面における表示領域は最低位置に基づいて確定されることができる。
【００３０】
これでわかるように、本実施形態による技術手段で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００３１】
任意選択的に、本発明の若干の可能な実施形態において、上記最低位置に基づいて上記スマートブレスレットの上記外表面における表示領域を確定することは、上記スマートブレスレットにおける初期位置、第一距離値及び第二距離値を設定することと、上記初期位置から予定方向に沿って上記最低位置までの第三距離値を算出することと、上記第一距離値及び第三距離値に基づいて第一表示位置値を算出すると共に、上記第二距離値及び上記第三距離値に基づいて第二表示位置値を算出することと、上記予定方向に沿って上記初期位置との間隔が上記第一表示位置値である第一表示位置を確定すると共に、上記予定方向に沿って上記初期位置との間隔が上記第二表示位置値である第二表示位置を確定することと、上記第一表示位置と上記第二表示位置との間の領域を上記表示領域として確定することとを備える。
【００３２】
本発明の実施形態において、当該外表面における表示領域は、第一表示位置と第二表示位置との間の領域である。
【００３３】
任意選択的に、当該表示領域は、スマートブレスレットの外周全体の一部分であってもよく、好ましくは、スマートブレスレットの外周全体の１／３である。
【００３４】
第一位置及び第二位置のうち当該第一位置が最低位置に近いとすると、第一距離値とは、予定の、第一表示位置と最低位置との間のスマートブレスレットに沿う絶対距離値のうち短いものを意味する。第二距離値とは、予定の、第二表示位置から第一表示位置を介して最低位置までのスマートブレスレットに沿う絶対距離値を意味する。第三距離値とは、上記初期位置から予定方向に沿って上記最低位置までのスマートブレスレットに沿う絶対距離値を意味する。例えば、スマートブレスレットが円形である場合、上記第一距離値、第二距離値及び第三距離値とは、いずれも、二つの点の間の円弧長を意味しており、二つの点の間の直線距離を意味しない。
【００３５】
本発明の実施形態において、当該予定方向は、スマートブレスレットに沿う時計方向であってもよく、スマートブレスレットに沿う反時計方向であってもよい。
【００３６】
スマートブレスレットにおける最低位置を検出し、第一表示位置、第二表示位置と最低位置との間の関係を予め設定し、第一表示位置及び第二表示位置を算出することにより、スマートブレスレットにおける最低位置に基づいてスマートブレスレットにおける表示領域を確定し、スマートブレスレットのオリエンテーション変化に応じてスマートブレスレットにおける表示領域を自動的に調整することができると理解される。
【００３７】
任意選択的に、本発明の若干の可能な実施形態において、上記予定方向が上記スマートブレスレットに沿う反時計方向であり、上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【００３８】
それと共に、上記第二距離値及び上記第三距離値に基づいて第二表示位置値を算出することは、上記第三距離値から上記第二距離値を減じ、上記スマートブレスレットの長さを加え、そして、上記スマートブレスレットの長さで除することにより、上記第二表示位置値である余りを取得することを備える。
【００３９】
具体的に、図１ｃは本発明の実施形態によるスマートブレスレットにおける座標の概略図である。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第二距離値がｋであり、第三距離値がｓ（つまり、圧力センサーによって検出されたＤ点の座標値）であるとすると、第一表示位置Ｂの座標値はＸｂ＝（ｓ＋Ｌ−ｌ）％Ｌになり、第二表示位置Ｃの座標値はＸｃ＝（ｓ＋Ｌ−ｋ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００４０】
任意選択的に、本発明の若干の可能な実施形態において、上記予定方向が上記スマートブレスレットに沿う時計方向であり、上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【００４１】
任意選択的に、本発明の若干の可能な実施形態において、上記予定方向が上記スマートブレスレットに沿う時計方向であり、上記第二距離値及び上記第三距離値に基づいて第二表示位置値を算出することは、上記第三距離値に上記第二距離値を加え、上記スマートブレスレットの長さを加え、そして、上記スマートブレスレットの長さで除することにより、上記第二表示位置値である余りを取得することを備える。
【００４２】
具体的に、図１ｃを参照する。本発明の実施形態において、スマートブレスレットにおける初期位置の座標Ｅが原点Ｏであり、スマートブレスレットの長さがＬであるとする。スマートブレスレットの時計方向に沿って、第一距離値がｌであり、第二距離値がｋであり、第三距離値がｓ（つまり、圧力センサーによって検出されたＤ点の座標値）であるとすると、第一表示位置Ｂの座標値はＸｂ＝（ｓ＋Ｌ＋ｌ）％Ｌになり、第二表示位置Ｃの座標値はＸｃ＝（ｓ＋Ｌ＋ｋ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００４３】
本発明の実施形態において、スマートブレスレットにおける第一表示位置及び第二表示位置を計算するとき、各位置の座標は座標原点に基づいて設定されたものであるため、座標原点からの方向が異なる場合、座標値は異なるため、時計方向と反時計方向のそれぞれについては計算する必要があると理解される。
【００４４】
任意選択的に、本発明の若干の可能な実施形態において、上記最低位置に基づいて上記スマートブレスレットの上記外表面における表示領域を確定することは、上記スマートブレスレットにおける初期位置、第一距離値及び第四距離値を設定することと、上記初期位置から予定方向に沿って上記最低位置までの第三距離値を算出することと、上記第一距離値及び第三距離値に基づいて第一表示位置値を算出することと、当該予定方向に沿って上記初期位置との間隔が上記第一表示位置値である第一表示位置を確定することと、当該予定方向と逆の方向に沿って当該第一表示位置との間隔が上記第四距離値である第二表示位置を確定することと、上記第一表示位置と上記第二表示位置との間の領域を上記表示領域として確定することとを備える。
【００４５】
第一距離値及び第三距離値は、意味が以上の通りである。第四距離値とは、第一表示位置Ｂと第二表示位置Ｃとの間の絶対距離値のうち短いものを意味する。
【００４６】
本発明の実施形態において、当該予定方向は、スマートブレスレットに沿う時計方向であってもよく、スマートブレスレットに沿う反時計方向であってもよい。
【００４７】
スマートブレスレットにおける最低位置を検出し、第一表示位置、第二表示位置と最低位置との間の関係を予め設定し、第一表示位置及び第二表示位置を算出することにより、スマートブレスレットにおける最低位置に基づいてスマートブレスレットにおける表示領域を確定し、スマートブレスレットのオリエンテーション変化に応じてスマートブレスレットにおける表示領域を自動的に調整することができると理解される。
【００４８】
任意選択的に、本発明の若干の可能な実施形態において、上記予定方向が上記スマートブレスレットに沿う反時計方向であり、上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【００４９】
具体的に、図１ｃを参照する。本発明の実施形態において、スマートブレスレットにおける初期位置の座標Ｅが原点Ｏであり、スマートブレスレットの長さがＬであるとする。スマートブレスレットの反時計方向に沿って、第一距離値がｌであり、第四距離値がｐであり、第三距離値がｓ（つまり、圧力センサーによって検出されたＤ点の座標値）であるとすると、第一表示位置Ｂの座標値はＸｂ＝（ｓ＋Ｌ−ｌ）％Ｌになり、第二表示位置Ｃの座標値はＸｃ＝（Ｘｂ−ｐ＋Ｌ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣にあうと理解される。
【００５０】
任意選択的に、本発明の若干の可能な実施形態において、上記予定方向が上記スマートブレスレットに沿う時計方向であり、上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【００５１】
具体的に、図１ｃを参照する。本発明の実施形態において、スマートブレスレットにおける初期位置の座標Ｅが原点Ｏであり、スマートブレスレットの長さがＬであるとする。スマートブレスレットの時計方向に沿って、第一距離値がｌであり、第四距離値がｐであり、第三距離値がｓ（つまり、圧力センサーによって検出されたＤ点の座標値）であるとすると、第一表示位置Ｂの座標値はＸｂ＝（ｓ＋Ｌ＋ｌ）％Ｌになり、第二表示位置Ｃの座標値はＸｃ＝（Ｘｂ＋ｐ＋Ｌ）％Ｌになる。このように、スマートブレスレットにおける第一表示位置Ｂと第二表示位置Ｃとの間の領域は、目前の表示領域である。現時点ではスマートブレスレットは腕に嵌められれば、スマートブレスレットにおける表示位置は、ちょうど人の目の観察習慣に合うと理解される。
【００５２】
本発明の実施形態において、スマートブレスレットにおける第一表示位置及び第二表示位置を計算するとき、各位置の座標は座標原点に基づいて設定されたものであるため、座標原点からの方向が異なる場合、座標値は異なるため、時計方向と反時計方向のそれぞれについては計算する必要があると理解される。
【００５３】
任意選択的に、本発明の若干の可能な実施形態において、上記最低位置に基づいて上記スマートブレスレットの上記外表面における表示領域を確定することは、上記最低位置と予定表示領域対応関係に基づいて上記表示領域を確定することを備え、上記予定表示領域対応関係は、上記最低位置と上記表示領域との対応関係である。
【００５４】
予定表示領域対応関係は、ユーザが使用習慣に応じて、スマートブレスレットを嵌めるとき、スマートブレスレットにおける最低位置及びスマートブレスレットにおけるユーザの観察に最も適した位置に基づいて確定するものである。
【００５５】
本発明の実施形態において、予定表示領域対応関係を予め設定した場合、ユーザがスマートブレスレットを使用するとき、スマートセンサーによって検出された最低位置及び当該予定表示領域対応関係に基づいて表示領域を確定する。
【００５６】
最低位置と表示領域との対応関係を予め確定することにより、スマートブレスレットのオリエンテーションに応じてスマートブレスレットにおける表示領域を自動的に調整することができると理解される。
【００５７】
本発明の実施形態の上記技術手段の一層の理解と実施に便利になるように、以下、図２を参照しながら、本発明の実施形態については一層説明する。
【００５８】
図２を参照する。図２は、本発明による表示位置調整方法の第二実施形態のフローチャートである。図２に示す方法において、図１に示す方法の要素と同様なまたは類似のものは、図１の詳しい説明から理解されることができるので、ここで二度と説明しない。図２に示すように、本発明の実施形態による表示位置調整方法は、以下のステップＳ２０１〜Ｓ２０７を備える。
【００５９】
Ｓ２０１は、複数の圧力センサーによって検出された複数の圧力値を受信することである。
【００６０】
Ｓ２０２は、当該複数の圧力値のうち最も大きい圧力値に対応する圧力センサーの位置をスマートブレスレットにおける最低位置として確定することである。
【００６１】
Ｓ２０３は、スマートブレスレットにおける初期位置、第一距離値及び第二距離値を設定することである。
【００６２】
Ｓ２０４は、初期位置から予定方向に沿って最低位置までの第三距離値を算出することである。
【００６３】
Ｓ２０５は、第一距離値及び第三距離値に基づいて第一表示位置値を算出すると共に、第二距離値及び第三距離値に基づいて第二表示位置値を算出することである。
【００６４】
Ｓ２０６は、予定方向に沿って初期位置との間隔が第一表示位置値である第一表示位置を確定すると共に、予定方向に沿って初期位置との間隔が第二表示位置値である第二表示位置を確定することである。
【００６５】
Ｓ２０７は、第一表示位置と第二表示位置との間の領域を表示領域として確定することである。
【００６６】
これでわかるように、本実施形態による技術手段で、スマートブレスレットの内表面に複数の圧力センサーが設けられると共に、スマートブレスレットのチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレットの外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００６７】
本発明の実施形態は、スマートブレスレットをさらに提供する。このスマートブレスレットは、上記複数の圧力センサーによって検出された複数の圧力値を受信するための受信ユニットと、上記複数の圧力値のうち最も大きい圧力値に対応する圧力センサーの位置を上記スマートブレスレットにおける最低位置として確定するための確定ユニットとを備え、当該確定ユニットは、さらに、上記最低位置に基づいて上記スマートブレスレットの上記外表面における表示領域を確定するためである。
【００６８】
具体的に、図３は、本発明によるスマートブレスレットの第一実施形態の概略構造図である。当該スマートブレスレットは、本発明の実施形態に開示された表示位置調整方法を実現するためのものである。図３に示すように、本発明の実施形態によるスマートブレスレット３００は、受信ユニット３１０と確定ユニット３２０とを備える。
【００６９】
受信ユニット３１０は、上記複数の圧力センサーによって検出された複数の圧力値を受信するためである。
【００７０】
本発明の実施形態において、図１ａに示すスマートブレスレットは、スマートブレスレットの内表面に設けられた複数の圧力センサーによって検出された複数の圧力値を受信する。
【００７１】
確定ユニット３２０は、上記複数の圧力値のうち最も大きい圧力値に対応する圧力センサーの位置をスマートブレスレットにおける最低位置として確定するためである。
【００７２】
最低位置とは、スマートブレスレットが置かれるとき、地面に最も近い位置を意味する。地面に最も近い位置には、圧力センサーによって検出された自由移動体による圧力値は、最も大きい。
【００７３】
確定ユニット３３０は、さらに、上記最低位置に基づいてスマートブレスレットの上記外表面における表示領域を確定するためである。
【００７４】
本発明の実施形態において、当該外表面における表示領域は、変動可能な表示領域であり、つまり、目前の表示領域がユーザの観察習慣に合うように、スマートブレスレットのオリエンテーションに応じて、目前の表示領域を調整することができる。スマートブレスレットのオリエンテーションは、最低位置に基づいて確定されることができるため、スマートブレスレットの外表面における表示領域は最低位置に基づいて確定されることができる。
【００７５】
これでわかるように、本実施形態による技術手段で、スマートブレスレット３００の内表面に複数の圧力センサーが設けられると共に、スマートブレスレット３００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット３００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００７６】
本実施形態において、スマートブレスレット３００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【００７７】
本実施形態のスマートブレスレット３００の各ユニットの機能は、上記方法実施形態による方法に基づいて実現されることができ、具体的な実現過程は、上記方法実施形態に関する説明から理解されることができるので、ここで二度と説明しないと理解される。
【００７８】
図４は、本発明によるスマートブレスレットの第二実施形態の概略構造図である。当該スマートブレスレットは、本発明の実施形態に開示された表示位置調整方法を実現するためのものである。図４に示すスマートブレスレットは、図３に示すスマートブレスレットを最適化したものである。図４に示すスマートブレスレットは、図３に示すスマートブレスレットのユニットに加え、以下の構造を有する。
【００７９】
任意選択的に、本発明の若干の可能な実施形態において、上記確定ユニット４２０は、上記スマートブレスレットにおける初期位置、第一距離値及び第二距離値を設定するための設定ユニット４２１と、上記初期位置から予定方向に沿って上記最低位置までの第三距離値を算出するための算出ユニット４２２とを備える。
【００８０】
上記算出ユニット４２２は、さらに、上記第一距離値及び第三距離値に基づいて第一表示位置値を算出すると共に、上記第二距離値及び上記第三距離値に基づいて第二表示位置値を算出するためである。
【００８１】
上記確定ユニット４２０は、さらに、上記予定方向に沿って上記初期位置との間隔が上記第一表示位置値である第一表示位置を確定すると共に、上記予定方向に沿って上記初期位置との間隔が上記第二表示位置値である第二表示位置を確定するためである。
【００８２】
上記確定ユニット４２０は、さらに、上記第一表示位置と上記第二表示位置との間の領域を上記表示領域として確定するためである。
【００８３】
任意選択的に、本発明の若干の可能な実施形態において、上記予定方向は上記スマートブレスレットに沿う反時計方向であり、上記算出ユニット４２２は、上記第三距離値から上記第一距離値を減じ、上記スマートブレスレットの長さを加え、そして、上記スマートブレスレットの長さで除することにより、上記第一表示位置値である余りを取得するように配置される。
【００８４】
任意選択的に、本発明の若干の可能な実施形態において、上記予定方向は上記スマートブレスレットに沿う反時計方向であり、上記算出ユニット４２２は、上記第三距離値から上記第二距離値を減じ、上記スマートブレスレットの長さを加え、そして、上記スマートブレスレットの長さで除することにより、上記第二表示位置値である余りを取得するように配置される。
【００８５】
任意選択的に、本発明の若干の可能な実施形態において、上記予定方向は上記スマートブレスレットに沿う時計方向であり、上記算出ユニット４２２は、上記第三距離値に上記第一距離値を加え、上記スマートブレスレットの長さを加え、そして、上記スマートブレスレットの長さで除することにより、上記第一表示位置値である余りを取得するように配置される。
【００８６】
任意選択的に、本発明の若干の可能な実施形態において、上記予定方向は上記スマートブレスレットに沿う時計方向であり、上記算出ユニット４２２は、上記第三距離値に上記第二距離値を加え、上記スマートブレスレットの長さを加え、そして、上記スマートブレスレットの長さで除することにより、上記第二表示位置値である余りを取得するように配置される。
【００８７】
任意選択的に、本発明の若干の可能な実施形態において、上記設定ユニット４２１は、さらに、上記スマートブレスレットにおける初期位置、第一距離値及び第四距離値を設定するためである。
【００８８】
上記算出ユニット４２２は、さらに、上記初期位置から予定方向に沿って上記最低位置までの第三距離値を算出するためである。
【００８９】
上記算出ユニット４２２は、さらに、上記第一距離値及び第三距離値に基づいて第一表示位置値を算出するためである。
【００９０】
上記確定ユニット４２０は、さらに、当該予定方向に沿って上記初期位置との間隔が上記第一表示位置値である第一表示位置を確定するためである。
【００９１】
上記確定ユニット４２０は、さらに、当該予定方向と逆の方向に沿って当該第一表示位置との間隔が上記第四距離値である第二表示位置を確定するためである。
【００９２】
上記確定ユニット４２０は、さらに、上記第一表示位置と上記第二表示位置との間の領域を上記表示領域として確定するためである。
【００９３】
任意選択的に、本発明の若干の可能な実施形態において、上記予定方向は上記スマートブレスレットに沿う反時計方向であり、上記算出ユニット４２２は、上記第三距離値から上記第一距離値を減じ、上記スマートブレスレットの長さを加え、そして、上記スマートブレスレットの長さで除することにより、上記第一表示位置値である余りを取得するように配置される。
【００９４】
任意選択的に、本発明の若干の可能な実施形態において、上記算出ユニット４２２は、上記第三距離値に上記第一距離値を加え、上記スマートブレスレットの長さを加え、そして、上記スマートブレスレットの長さで除することにより、上記第一表示位置値である余りを取得するように配置される。
【００９５】
任意選択的に、本発明の若干の可能な実施形態において、上記確定ユニット４２０は、上記最低位置と予定表示領域対応関係に基づいて上記表示領域を確定するように配置され、上記予定表示領域対応関係は、上記最低位置と上記表示領域との対応関係である。
【００９６】
これでわかるように、本実施形態による技術手段で、スマートブレスレット４００の内表面に複数の圧力センサーが設けられると共に、スマートブレスレット４００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット４００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【００９７】
本実施形態において、スマートブレスレット４００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【００９８】
本実施形態のスマートブレスレット４００の各ユニットの機能は、上記方法実施形態による方法に基づいて実現されることができ、具体的な実現過程は、上記方法実施形態に関する説明から理解されることができるので、ここで二度と説明しないと理解される。
【００９９】
図５は、本発明によるスマートブレスレットの第三実施形態の概略構造図である。当該スマートブレスレットは、本発明の実施形態に開示された表示位置調整方法を実現するためのものである。当該スマートブレスレット５００は、少なくとも一つのバス５０１と、バス５０１に接続された少なくとも一つのプロセッサ５０２と、バス５０１に接続された少なくとも一つのメモリ５０３とを備える。
【０１００】
プロセッサ５０２は、バス５０１を介して、メモリに格納されたプログラム・コードを読み取ることにより、上記複数の圧力センサーによって検出された複数の圧力値を受信し、上記複数の圧力値のうち最も大きい圧力値に対応する圧力センサーの位置を上記スマートブレスレットにおける最低位置として確定し、上記最低位置に基づいて上記スマートブレスレットの上記外表面における表示領域を確定する。
【０１０１】
任意選択的に、本発明の若干の可能な実施形態において、上記プロセッサ５０２が上記最低位置に基づいて上記スマートブレスレットの上記外表面における表示領域を確定することは、上記スマートブレスレットにおける初期位置、第一距離値及び第二距離値を設定することと、上記初期位置から予定方向に沿って上記最低位置までの第三距離値を算出することと、上記第一距離値及び第三距離値に基づいて第一表示位置値を算出すると共に、上記第二距離値及び上記第三距離値に基づいて第二表示位置値を算出することと、上記予定方向に沿って上記初期位置との間隔が上記第一表示位置値である第一表示位置を確定すると共に、上記予定方向に沿って上記初期位置との間隔が上記第二表示位置値である第二表示位置を確定することと、上記第一表示位置と上記第二表示位置との間の領域を上記表示領域として確定することとを備える。
【０１０２】
任意選択的に、本発明の若干の可能な実施形態において、上記予定方向が上記スマートブレスレットに沿う反時計方向であり、上記プロセッサ５０２が上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【０１０３】
任意選択的に、本発明の若干の可能な実施形態において、上記予定方向が上記スマートブレスレットに沿う反時計方向であり、上記プロセッサ５０２が上記第二距離値及び上記第三距離値に基づいて第二表示位置値を算出することは、上記第三距離値から上記第二距離値を減じ、上記スマートブレスレットの長さを加え、そして、上記スマートブレスレットの長さで除することにより、上記第二表示位置値である余りを取得することを備える。
【０１０４】
任意選択的に、本発明の若干の可能な実施形態において、上記予定方向が上記スマートブレスレットに沿う時計方向であり、上記プロセッサ５０２が上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【０１０５】
任意選択的に、本発明の若干の可能な実施形態において、上記予定方向が上記スマートブレスレットに沿う時計方向であり、上記プロセッサ５０２が上記第二距離値及び上記第三距離値に基づいて第二表示位置値を算出することは、上記第三距離値に上記第二距離値を加え、上記スマートブレスレットの長さを加え、そして、上記スマートブレスレットの長さで除することにより、上記第二表示位置値である余りを取得することを備える。
【０１０６】
任意選択的に、本発明の若干の可能な実施形態において、上記プロセッサ５０２が上記最低位置に基づいて上記スマートブレスレットの上記外表面における表示領域を確定することは、上記スマートブレスレットにおける初期位置、第一距離値及び第四距離値を設定することと、上記初期位置から予定方向に沿って上記最低位置までの第三距離値を算出することと、上記第一距離値及び第三距離値に基づいて第一表示位置値を算出することと、当該予定方向に沿って上記初期位置との間隔が上記第一表示位置値である第一表示位置を確定することと、当該予定方向と逆の方向に沿って当該第一表示位置との間隔が上記第四距離値である第二表示位置を確定することと、上記第一表示位置と上記第二表示位置との間の領域を上記表示領域として確定することとを備える。
【０１０７】
任意選択的に、本発明の若干の可能な実施形態において、上記予定方向が上記スマートブレスレットに沿う反時計方向であり、上記プロセッサ５０２が上記第一距離値及び第三距離値に基づいて第一表示位置値を算出することは、上記第三距離値から上記第一距離値を減じ、上記スマートブレスレットの長さを加え、そして、上記スマートブレスレットの長さで除することにより、上記第一表示位置値である余りを取得することを備える。
【０１０８】
任意選択的に、本発明の若干の可能な実施形態において、上記予定方向が上記スマートブレスレットに沿う時計方向であり、上記プロセッサ５０２が上記第一距離値及び第三距離値に基づいて第一表示位置値を算出することは、上記第三距離値に上記第一距離値を加え、上記スマートブレスレットの長さを加え、そして、上記スマートブレスレットの長さで除することにより、上記第一表示位置値である余りを取得することを備える。
【０１０９】
任意選択的に、本発明の若干の可能な実施形態において、上記プロセッサ５０２が上記最低位置に基づいて上記スマートブレスレットの上記外表面における表示領域を確定することは、上記最低位置と予定表示領域対応関係に基づいて上記表示領域を確定することを備え、上記予定表示領域対応関係は、上記最低位置と上記表示領域との対応関係である。
【０１１０】
これでわかるように、本実施形態による技術手段で、スマートブレスレット５００の内表面に複数の圧力センサーが設けられると共に、スマートブレスレット５００のチェンバーに自由移動体が収納されることにより、当該複数の圧力センサーによって検出された当該自由移動体による圧力値が受信され、当該複数の圧力値のうち最も大きい圧力値に対応する圧力センサーの位置がスマートブレスレットにおける最低位置として確定され、最後に、当該最低位置に基づいてスマートブレスレット５００の外表面における表示領域が確定される。このため、スマートブレスレットのオリエンテーションに応じてスマートブレスレットにおける表示位置を自動的に調整することができるため、ユーザの観察に便利になり、ユーザの体験を向上させる。
【０１１１】
本実施形態において、スマートブレスレット５００は、ユニットの形式で呈される。ここでの「ユニット」とは、特定用途向け集積回路（ａｐｐｌｉｃａｔｉｏｎ−Ｓｐｅｃｉｆｉｃ  ｉｎｔｅｇｒａｔｅｄ  ｃｉｒｃｕｉｔ、ＡＳＩＣ)、一つまたは複数のソフトウェア・プログラムまたはファームウェア・プログラムを実行するプロセッサ及びメモリ、論理集積回路、及び／又は上記機能を提供できる他のデバイスを指す。
【０１１２】
本実施形態のスマートブレスレット５００の各ユニットの機能は、上記方法実施形態による方法に基づいて実現されることができ、具体的な実現過程は、上記方法実施形態に関する説明から理解されることができるので、ここで二度と説明しないと理解される。
【０１１３】
以上のように、上記実施形態は、本発明の技術手段を説明するためのものに過ぎなく、本発明を制限するものではない。上記実施形態を参照しながら本発明を詳しく説明したが、当業者が理解できるように、上記各実施形態に記載の技術手段を依然として修正し、または、一部の技術特徴に対して均等置換を行うことができる。これらの修正または置換は、本発明の各実施形態の技術手段の範囲を対応する技術手段の要旨に逸脱させるものではない。
【手続補正２】
【補正対象書類名】特許請求の範囲
【補正対象項目名】全文
【補正方法】変更
【補正の内容】
【特許請求の範囲】
【請求項１】
スマートブレスレットに適用される表示位置調整方法であって、前記スマートブレスレットの内表面に複数の圧力センサーが設けられ、前記スマートブレスレットのチェンバーに自由移動体が収納され、前記自由移動体が前記スマートブレスレットの内表面に沿って移動可能であり、前記スマートブレスレットの外表面が表示可能領域を含み、前記表示位置調整方法は、
前記複数の圧力センサーによって検出された複数の圧力値を受信することと、
前記複数の圧力値のうち最も大きい圧力値に対応する圧力センサーの位置を前記スマートブレスレットにおける最低位置として確定することと、
前記最低位置に基づいて前記スマートブレスレットの前記外表面における表示領域を確定することとを備えることを特徴とする表示位置調整方法。
【請求項２】
前記最低位置に基づいて前記スマートブレスレットの前記外表面における表示領域を確定することは、
前記スマートブレスレットにおける初期位置、第一距離値及び第二距離値を設定することと、
前記初期位置から予定方向に沿って前記最低位置までの第三距離値を算出することと、
前記第一距離値及び前記第三距離値に基づいて第一表示位置値を算出すると共に、前記第二距離値及び前記第三距離値に基づいて第二表示位置値を算出することと、
前記予定方向に沿って前記初期位置との間隔が前記第一表示位置値である第一表示位置を確定すると共に、前記予定方向に沿って前記初期位置との間隔が前記第二表示位置値である第二表示位置を確定することと、
前記第一表示位置と前記第二表示位置との間の領域を前記表示領域として確定することとを備えることを特徴とする請求項１に記載の表示位置調整方法。
【請求項３】
前記予定方向が前記スマートブレスレットに沿う反時計方向であり、前記第一距離値及び前記第三距離値に基づいて第一表示位置値を算出することは、前記第三距離値から前記第一距離値を減じ、前記スマートブレスレットの長さを加え、そして、前記スマートブレスレットの長さで除することにより、前記第一表示位置値である余りを取得することを備えることを特徴とする請求項２に記載の表示位置調整方法。
【請求項４】
前記予定方向が前記スマートブレスレットに沿う反時計方向であり、前記第二距離値及び前記第三距離値に基づいて第二表示位置値を算出することは、前記第三距離値から前記第二距離値を減じ、前記スマートブレスレットの長さを加え、そして、前記スマートブレスレットの長さで除することにより、前記第二表示位置値である余りを取得することを備えることを特徴とする請求項２に記載の表示位置調整方法。
【請求項５】
前記予定方向が前記スマートブレスレットに沿う時計方向であり、前記第一距離値及び前記第三距離値に基づいて第一表示位置値を算出することは、前記第三距離値に前記第一距離値を加え、前記スマートブレスレットの長さを加え、そして、前記スマートブレスレットの長さで除することにより、前記第一表示位置値である余りを取得することを備えることを特徴とする請求項２に記載の表示位置調整方法。
【請求項６】
前記予定方向が前記スマートブレスレットに沿う時計方向であり、前記第二距離値及び前記第三距離値に基づいて第二表示位置値を算出することは、前記第三距離値に前記第二距離値を加え、前記スマートブレスレットの長さを加え、そして、前記スマートブレスレットの長さで除することにより、前記第二表示位置値である余りを取得することを備えることを特徴とする請求項２に記載の表示位置調整方法。
【請求項７】
前記最低位置に基づいて前記スマートブレスレットの前記外表面における表示領域を確定することは、
前記スマートブレスレットにおける初期位置、第一距離値及び第四距離値を設定することと、
前記初期位置から予定方向に沿って前記最低位置までの第三距離値を算出することと、
前記第一距離値及び前記第三距離値に基づいて第一表示位置値を算出することと、
前記予定方向に沿って前記初期位置との間隔が前記第一表示位置値である第一表示位置を確定することと、
前記予定方向と逆の方向に沿って前記第一表示位置との間隔が前記第四距離値である第二表示位置を確定することと、
前記第一表示位置と前記第二表示位置との間の領域を前記表示領域として確定することとを備えることを特徴とする請求項１に記載の表示位置調整方法。
【請求項８】
前記予定方向が前記スマートブレスレットに沿う反時計方向であり、前記第一距離値及び前記第三距離値に基づいて第一表示位置値を算出することは、前記第三距離値から前記第一距離値を減じ、前記スマートブレスレットの長さを加え、そして、前記スマートブレスレットの長さで除することにより、前記第一表示位置値である余りを取得することを備えることを特徴とする請求項７に記載の表示位置調整方法。
【請求項９】
前記予定方向が前記スマートブレスレットに沿う時計方向であり、前記第一距離値及び前記第三距離値に基づいて第一表示位置値を算出することは、前記第三距離値に前記第一距離値を加え、前記スマートブレスレットの長さを加え、そして、前記スマートブレスレットの長さで除することにより、前記第一表示位置値である余りを取得することを備えることを特徴とする請求項７に記載の表示位置調整方法。
【請求項１０】
前記最低位置に基づいて前記スマートブレスレットの前記外表面における表示領域を確定することは、前記最低位置と予定表示領域対応関係に基づいて前記表示領域を確定することを備え、前記予定表示領域対応関係は、前記最低位置と前記表示領域との対応関係であることを特徴とする請求項１に記載の表示位置調整方法。
【請求項１１】
スマートブレスレットであって、前記スマートブレスレットの内表面に複数の圧力センサーが設けられ、前記スマートブレスレットのチェンバーに自由移動体が収納され、前記自由移動体が前記スマートブレスレットの内表面に沿って移動可能であり、前記スマートブレスレットの外表面が表示可能領域を含み、前記スマートブレスレットは、
前記複数の圧力センサーによって検出された複数の圧力値を受信するための受信ユニットと、
前記複数の圧力値のうち最も大きい圧力値に対応する圧力センサーの位置を前記スマートブレスレットにおける最低位置として確定するための確定ユニットとを備え、
前記確定ユニットは、さらに、前記最低位置に基づいて前記スマートブレスレットの前記外表面における表示領域を確定するためであることを特徴とするスマートブレスレット。
【請求項１２】
前記確定ユニットは、
前記スマートブレスレットにおける初期位置、第一距離値及び第二距離値を設定するための設定ユニットと、
前記初期位置から予定方向に沿って前記最低位置までの第三距離値を算出するための算出ユニットとを備え、
前記算出ユニットは、さらに、前記第一距離値及び前記第三距離値に基づいて第一表示位置値を算出すると共に、前記第二距離値及び前記第三距離値に基づいて第二表示位置値を算出するためであり、
前記確定ユニットは、さらに、前記予定方向に沿って前記初期位置との間隔が前記第一表示位置値である第一表示位置を確定すると共に、前記予定方向に沿って前記初期位置との間隔が前記第二表示位置値である第二表示位置を確定するためであり、
前記確定ユニットは、さらに、前記第一表示位置と前記第二表示位置との間の領域を前記表示領域として確定するためであることを特徴とする請求項１１に記載のスマートブレスレット。
【請求項１３】
前記予定方向は前記スマートブレスレットに沿う反時計方向であり、前記算出ユニットは、前記第三距離値から前記第一距離値を減じ、前記スマートブレスレットの長さを加え、そして、前記スマートブレスレットの長さで除することにより、前記第一表示位置値である余りを取得するように配置されることを特徴とする請求項１２に記載のスマートブレスレット。
【請求項１４】
前記予定方向は前記スマートブレスレットに沿う反時計方向であり、前記算出ユニットは、前記第三距離値から前記第二距離値を減じ、前記スマートブレスレットの長さを加え、そして、前記スマートブレスレットの長さで除することにより、前記第二表示位置値である余りを取得するように配置されることを特徴とする請求項１２に記載のスマートブレスレット。
【請求項１５】
前記予定方向は前記スマートブレスレットに沿う時計方向であり、前記算出ユニットは、前記第三距離値に前記第一距離値を加え、前記スマートブレスレットの長さを加え、そして、前記スマートブレスレットの長さで除することにより、前記第一表示位置値である余りを取得するように配置されることを特徴とする請求項１２に記載のスマートブレスレット。
【請求項１６】
前記予定方向は前記スマートブレスレットに沿う時計方向であり、前記算出ユニットは、前記第三距離値に前記第二距離値を加え、前記スマートブレスレットの長さを加え、そして、前記スマートブレスレットの長さで除することにより、前記第二表示位置値である余りを取得するように配置されることを特徴とする請求項１２に記載のスマートブレスレット。
【請求項１７】
前記設定ユニットは、さらに、前記スマートブレスレットにおける初期位置、第一距離値及び第四距離値を設定するためであり、
前記算出ユニットは、さらに、前記初期位置から予定方向に沿って前記最低位置までの第三距離値を算出するためであり、
前記算出ユニットは、さらに、前記第一距離値及び前記第三距離値に基づいて第一表示位置値を算出するためであり、
前記確定ユニットは、さらに、前記予定方向に沿って前記初期位置との間隔が前記第一表示位置値である第一表示位置を確定するためであり、
前記確定ユニットは、さらに、前記予定方向と逆の方向に沿って前記第一表示位置との間隔が前記第四距離値である第二表示位置を確定するためであり、
前記確定ユニットは、さらに、前記第一表示位置と前記第二表示位置との間の領域を前記表示領域として確定するためであることを特徴とする請求項１１に記載のスマートブレスレット。
【請求項１８】
前記予定方向は前記スマートブレスレットに沿う反時計方向であり、前記算出ユニットは、前記第三距離値から前記第一距離値を減じ、前記スマートブレスレットの長さを加え、そして、前記スマートブレスレットの長さで除することにより、前記第一表示位置値である余りを取得するように配置されることを特徴とする請求項１７に記載のスマートブレスレット。
【請求項１９】
前記算出ユニットは、前記第三距離値に前記第一距離値を加え、前記スマートブレスレットの長さを加え、そして、前記スマートブレスレットの長さで除することにより、前記第一表示位置値である余りを取得するように配置されることを特徴とする請求項１７に記載のスマートブレスレット。
【請求項２０】
前記予定方向は前記スマートブレスレットに沿う時計方向であり、前記確定ユニットは、前記最低位置と予定表示領域対応関係に基づいて前記表示領域を確定するように配置され、前記予定表示領域対応関係は、前記最低位置と前記表示領域との対応関係であることを特徴とする請求項１１に記載のスマートブレスレット。
【国際調査報告】
2019527436.tif 000010
2019527436.tif 000011
2019527436.tif 000012
2019527436.tif 000013